(57)【要約】【課題】筐体に設けられたパネルが閉じる際の衝撃音が小さい電子機器を提供する。【解決手段】筐体１２と、アーム部２１を有し、当該アーム部２１が筐体１２に係り合うことにより筐体１２に開閉可能に取り付けられるフロントパネルと、一端が筐体１２に固定され、他端がアーム部２１に固定されるトーションバネと、トーションバネの弾性力によりフロントパネルが筐体１２側に閉じる間、筐体１２又はアーム部２１に接触することで、弾性力に抗する力を発生させる突起部２４とを備える。【選択図】図９
2014229331.tif 000002
【特許請求の範囲】
【請求項１】
筐体と、
アーム部を有し、当該アーム部が前記筐体に係り合うことにより前記筐体に開閉可能に取り付けられるパネルと、
一端が前記筐体に固定され、他端が前記アーム部に固定される弾性部材と、
前記弾性部材の弾性力により前記パネルが前記筐体側に閉じる間、前記筐体又は前記アーム部に接触することで、前記弾性力に抗する力を発生させる接触部材と
を備える電子機器。
【請求項２】
前記接触部材は、前記筐体における前記アーム部との接触面に形成された突起部である
請求項１に記載の電子機器。
【請求項３】
前記弾性部材は、トーションバネであり、前記トーションバネは、前記トーションバネの中心軸方向に圧縮されて取り付けられている
請求項１又は２に記載の電子機器。
【請求項４】
前記突起部は、前記パネルが前記筐体側に閉じるにつれ、前記弾性力に抗する力を大きくする形状を有する
請求項２に記載の電子機器。
【請求項５】
前記突起部は、前記パネルが前記筐体側に閉じるにつれ、前記筐体又は前記アーム部との接触面の高さが漸次高くなる形状を有する
請求項４に記載の電子機器。
【請求項６】
前記電子機器は、光ディスク装置であり、
前記パネルのサイズは、前記筐体に設けられた表示部及び光ディスクのトレイを取り出すための開口を覆うサイズである
請求項１〜５のいずれか１項に記載の電子機器。
【請求項７】
前記接触部材は、前記弾性力と前記パネルの重力とが釣り合うときの前記パネルの位置と前記パネルが閉じた位置との間で、前記アーム部に接触する
請求項１〜６のいずれか１項に記載の電子機器。
【発明の詳細な説明】
【技術分野】
【０００１】
本発明は、電子機器に関し、特に、筐体に開閉可能なパネルが取り付けられた電子機器に関する。
【背景技術】
【０００２】
光ディスク装置などの電子機器には、筐体の前面などに開閉可能なパネルが取り付けられている（例えば、特許文献１参照）。フロントローディング機構により光ディスクのトレイが筐体の内部から外部に移動する際に、パネルはトレイによって押し出されることで開くほか、ユーザの手によってもパネルを開くことができる。
【先行技術文献】
【特許文献】
【０００３】
【特許文献１】特開２００２−３３４５６６号公報
【発明の概要】
【発明が解決しようとする課題】
【０００４】
ユーザの手によって開かれたパネルは、ユーザの手によって閉じられることとなるが、その際、パネルが閉じる際に、パネルと筐体とがぶつかり合うことによる衝撃音が大きいという課題がある。これにより、パネルの閉動作の品位が低下している。
【０００５】
本発明は、上述の課題を解決するためになされたものであり、筐体に設けられたパネルが閉じる際の衝撃音が小さい電子機器を提供することを目的とする。
【課題を解決するための手段】
【０００６】
上記目的を達成するために、本発明の一態様に係る電子機器は、筐体と、アーム部を有し、当該アーム部が前記筐体に係り合うことにより前記筐体に開閉可能に取り付けられるパネルと、一端が前記筐体に固定され、他端が前記アーム部に固定される弾性部材と、前記弾性部材の弾性力により前記パネルが前記筐体側に閉じる間、前記筐体又は前記アーム部に接触することで、前記弾性力に抗する力を発生させる接触部材とを備える。
【０００７】
これによると、パネルが閉じる際のパネルの移動速度を減少させることができる。よって、パネルが閉じる際の衝撃音を小さくすることができる。
【０００８】
例えば、前記接触部材は、前記筐体における前記アーム部との接触面に形成された突起部であってもよい。
【０００９】
これによると、突起部とアーム部とが接触することにより、パネルが閉じる際のパネルの移動速度を減少させることができる。よって、パネルが閉じる際の衝撃音を小さくすることができる。
【００１０】
また、前記弾性部材は、トーションバネであり、前記トーションバネは、前記トーションバネの中心軸方向に圧縮されて取り付けられていてもよい。
【００１１】
これによると、トーションバネの弾性力により、筐体をアーム部に押し当てる力を発生させることができる。このため、突起部とアーム部とを確実に接触させることができ、パネルが閉じる際のパネルの移動速度を減少させることができる。よって、パネルが閉じる際の衝撃音を小さくすることができる。
【００１２】
また、前記突起部は、前記パネルが前記筐体側に閉じるにつれ、前記弾性力に抗する力を大きくする形状を有していてもよい。
【００１３】
これによると、パネルが閉じるにつれ、パネルの移動速度を漸次減少させることができる。よって、パネルが閉じる際の衝撃音を小さくすることができる。
【００１４】
例えば、前記突起部は、前記パネルが前記筐体側に閉じるにつれ、前記筐体又は前記アーム部との接触面の高さが漸次高くなる形状を有していてもよい。
【００１５】
これによると、パネルが閉じるにつれ、弾性力に抗する力を大きくすることができる。つまり、パネルが閉じるにつれ、パネルの移動速度を漸次減少させることができる。よって、パネルが閉じる際の衝撃音を小さくすることができる。
【００１６】
また、前記電子機器は、光ディスク装置であり、前記パネルのサイズは、前記筐体に設けられた表示部及び光ディスクのトレイを取り出すための開口を覆うサイズであってもよい。
【００１７】
大きいサイズのパネルほど、パネルが閉じる際の衝撃音が大きいが、これによると、大きなサイズのパネルが閉じる際の衝撃音を小さくすることができる。
【００１８】
また、前記接触部材は、前記弾性力と前記パネルの重力とが釣り合うときの前記パネルの位置と前記パネルが閉じた位置との間で、前記アーム部に接触してもよい。
【００１９】
これによると、ユーザはパネルを手で楽に開閉することができる。
【発明の効果】
【００２０】
本発明によると、筐体に設けられたパネルが閉じる際の衝撃音が小さい電子機器を提供することができる。
【図面の簡単な説明】
【００２１】
【図１】本発明の実施の形態に係る光ディスク装置の外観図である。
【図２】フロントパネルが閉じた状態における光ディスク装置の前面の一部を正面側から見た斜視図である。
【図３】フロントパネルが開いた状態における光ディスク装置の前面の一部を正面側から見た斜視図である。
【図４】フロントパネルが閉じた状態における光ディスク装置の前面の一部を背面側から見た斜視図である。
【図５】図４の部分拡大図である。
【図６】筐体の前面の一部をｘ軸正の方向から見た模式図である。
【図７】図４の一部をｚ軸正の方向から見た図である。
【図８】フロントパネルが閉じた状態における図４の部分拡大図である。
【図９】フロントパネルが開いた状態における図４の部分拡大図である。
【図１０】フロントパネルが閉じる際のアーム部の移動軌跡を模式的に示す図である。
【発明を実施するための形態】
【００２２】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２３】
［全体構成］
図１は、本発明の実施の形態に係る光ディスク装置の外観図である。
【００２４】
光ディスク装置１０は、筐体１２と、筐体１２の前面に開閉可能に設けられたフロントパネル１４（パネルを構成する）とを備える。光ディスク装置１０は、その他に、光ディスクを再生する図示しない光ピックアップ装置等を備える。筐体１２及びフロントパネル１４は、例えば、樹脂製である。光ディスク装置１０の幅方向をｘ方向、高さ方向をｙ方向、奥行き方向をｚ方向とする。
【００２５】
［前面部構成］
図２は、フロントパネル１４が閉じた状態における光ディスク装置１０の前面の一部を正面側から見た斜視図である。図３は、フロントパネル１４が開いた状態における光ディスク装置１０の前面の一部を正面側から見た斜視図である。図４は、フロントパネル１４が閉じた状態における光ディスク装置１０の前面の一部を背面側から見た斜視図である。
【００２６】
図３に示すように、筐体１２の前面部には、開口１２ａと表示部１２ｂとが設けられている。開口１２ａは、フロントローディング機構により光ディスクのトレイが筐体の内部から外部に移動する際に通過する孔である。表示部１２ｂは、時刻や再生時間などを表示する。表示部１２ｂは、例えば、ＬＥＤ（Ｌｉｇｈｔ  Ｅｍｉｔｔｉｎｇ  Ｄｉｏｄｅ）マトリクスなどにより構成される。
【００２７】
表示部１２ｂに対向するフロントパネル１４の部分面１４ａは、例えば、半透明状の材質からなる。このため、フロントパネル１４を閉じた状態でも、ユーザは、表示部１２ｂに表示される数字、文字、記号などを視認することができる。
【００２８】
［アーム部］
図３及び図４に示すように、フロントパネル１４には、中央部２箇所にアーム部２１が設けられ、長尺方向の両端２箇所にアーム部２２が設けられている。アーム部２１及びアーム部２２は、例えばヒンジ構造を有し、筐体１２と係わり合うように取り付けられている。これにより、フロントパネル１４は、アーム部２１及びアーム部２２に設けられた回転軸（図示せず）を中心に開閉可能である。
【００２９】
［トーションバネ］
また、図４に示すように、筐体１２の端部２箇所には、トーションバネ２３（弾性部材を構成する）が設けられている。図５は、図４の破線３１で囲った部分の拡大図である。図６は、筐体１２の前面の一部をｘ軸正の方向から見た模式図である。
【００３０】
図５に示すように、トーションバネ２３の一端は筐体１２に固定され、他端はアーム部２２に固定される。トーションバネ２３の弾性力により、フロントパネル１４には、フロントパネル１４を筐体１２側に引き込む力（図６の矢印４１の方向の力）が働く。これにより、例えば、ユーザがフロントパネル１４を手で開いた後に、手をフロントパネル１４から離すと、フロントパネル１４は自動的に閉じる。ただし、図６に示すように、フロントパネル１４を所定の角度θ以上筐体１２から開くと、フロントパネル１４は自重により矢印４２の方向に移動し、手を離してもフロントパネル１４は閉じた位置に戻らない。
【００３１】
［突起部］
図７は、図４の破線３２で囲った部分をｚ軸正の方向から見た図である。図８は、フロントパネル１４が閉じた状態における図４の破線３２で囲った部分の拡大図である。図９は、フロントパネル１４が開いた状態における図４の破線３２で囲った部分の拡大図である。
【００３２】
図７〜図９に示すように、筐体１２におけるアーム部２１との接触面には、突起部２４（接触部材を構成する）が設けられている。突起部２４は、例えば、ゴム製であってもよいし、筐体１２に一体形成された樹脂製であってもよい。
【００３３】
図８に示すように、フロントパネル１４が閉じた状態では突起部２４とアーム部２１とは接触しない。一方、フロントパネル１４が図６に示した角度θ未満開いた状態では、図９に示すように突起部２４とアーム部２１とが接触する。これにより、トーションバネ２３の弾性力に抗する力が発生する。なお、フロントパネル１４が角度θ以上開いた場合には、突起部２４とアーム部２１とは接触しない。このような接触状態となるような位置に突起部２４を配置することにより、ユーザが手を離したときにフロントパネル１４が閉じる位置においては、フロントパネル１４はゆっくりと閉まり、ユーザが手を離したときにフロントパネル１４が開く位置においては、フロントパネル１４は通常の速度で開く。よって、ユーザはフロントパネル１４を手で楽に開閉することができる。
【００３４】
なお、図５に示すトーションバネ２３は、トーションバネ２３の中心軸方向に圧縮されて取り付けられている。このため、筐体１２には、図７に示す矢印５１の方向の作用力が働く。これにより、アーム部２１には、矢印５２の方向の反作用力が働く。これにより、筐体１２をアーム部２１に押し当てることができ、突起部２４と筐体１２とを確実に接触させることができる。
【００３５】
［効果］
本実施の形態に係る光ディスク装置１０によると、突起部２４とアーム部２１とが接触することにより、フロントパネル１４が閉じる際のフロントパネル１４の移動速度を減少させることができる。よって、フロントパネル１４が閉じる際の衝撃音を小さくすることができる。
【００３６】
また、トーションバネ２３の弾性力により、筐体１２をアーム部２１に押し当てる力を発生させることができる。このため、突起部２４とアーム部２１とを確実に接触させることができる。
【００３７】
また、フロントパネル１４のサイズは、筐体１２に設けられた開口１２ａ及び表示部１２ｂを覆うサイズである。大きいサイズのフロントパネル１４ほど、フロントパネル１４が閉じる際の衝撃音が大きいが、これによると、大きなサイズのフロントパネル１４が閉じる際の衝撃音を小さくすることができる。
【００３８】
以上、本発明の実施の形態に係る光ディスク装置１０について説明したが、本発明は、この実施の形態に限定されるものではない。
【００３９】
（変形例）
図１０は、フロントパネル１４が閉じる際のアーム部２１の移動軌跡を模式的に示す図である。図１０ではアーム部２１をＬ字型形状で示している。フロントパネル１４が閉じる際には、アーム部２１は位置７１、位置７２、位置７３、位置７４の順に移動する。このとき、アーム部２１の角部は移動軌跡７５に従い移動しながら、突起部２４と接触する。このとき、点７６から点７７に向けて突起部２４の高さを漸次高くしてもよい。これにより、フロントパネル１４が閉じるにつれ、弾性力に抗する力を大きくすることができる。つまり、フロントパネル１４が閉じるにつれ、フロントパネル１４の移動速度を漸次減少させることができる。よって、フロントパネル１４が閉じる際の衝撃音を小さくすることができる。
【００４０】
なお、本発明は、開閉可能なパネルを有する電子機器であれば、光ディスク装置以外のテレビなどにも適用できる。
【００４１】
また、上述の実施の形態では、突起部２４を筐体１２に設けることとしたが、突起部２４をアーム部２１に設けてもよい。この場合、上述の図６において、フロントパネル１４が角度θ以上開く場合に、突起部２４と筐体１２とが接触しないようにするために、筐体１２の突起部２４との接触箇所に溝を設けてもよい。これにより、突起部２４が筐体１２に引っかかることでフロントパネル１４が閉まらなくなることを防止してもよい。
【産業上の利用可能性】
【００４２】
本発明は電子機器として、例えば、テレビ放送を録画する光ディスク装置、ハードディスクレコーダ、テレビ放送を再生または録画するテレビなどに適用できる。
【符号の説明】
【００４３】
１０  光ディスク装置
１２  筐体
１２ａ  開口
１２ｂ  表示部
１４  フロントパネル
１４ａ  部分面
２１、２２  アーム部
２３  トーションバネ
２４  突起部
３１、３２  破線
４１、４２、５１、５２  矢印
７１〜７４  位置
７５  移動軌跡
７６、７７  点
【図１】
2014229331.tif 000003
【図２】
2014229331.tif 000004
【図３】
2014229331.tif 000005
【図４】
2014229331.tif 000006
【図５】
2014229331.tif 000007
【図６】
2014229331.tif 000008
【図７】
2014229331.tif 000009
【図８】
2014229331.tif 000010
【図９】
2014229331.tif 000011
【図１０】
2014229331.tif 000012